(57)【要約】【課題】出入管理装置において、中央監視装置で入退室情報と共に、入退室に使用されたカードに含まれるカード番号以外の情報や、顔画像等のバイオメトリックス情報自体も取得し履歴として保存したいとき、個人認証端末と端末コントローラ間の通信負荷が増大する。【解決手段】中央監視装置と各個人認証端末をイーサーネット等のネットワークを介して接続する。中央監視装置は、従来のように端末コントローラから入退室情報を取得し、さらに、個人認証端末からネットワークを介して入退室に使用したカードに含まれるカ−ド番号以外の情報や、顔画像等のバイオメトリックス情報自体を取得することにより、端末コントローラに負荷をかけずに、従来よりも速く取得し履歴保存することができる。【選択図】図３
2005090121.tif 000002
【特許請求の範囲】
【請求項１】
カードやバイオメトリックス等の個人情報の読み取り機能を備えた個人認証端末と、シリアル通信等の低速通信を介して個人認証端末から個人識別情報を取得して個人を特定し、電気錠を制御することにより入退室を管理する端末コントローラーと、この端末コントローラーから入退室情報を取得し記憶する中央監視装置とを備え、上記中央監視装置と上記個人認証端末とをネットワークを介して接続したことを特徴とする出入管理装置。
【請求項２】
上記中央監視装置は、上記ネットワークを介して上記個人認証端末からカード情報、バイオメトリックス情報等の個人情報を取得し保存するようにしたことを特徴とする請求項１に記載の出入管理装置。
【請求項３】
上記中央監視装置は、上記ネットワークを介して個人認証に必要なバイオメトリックス情報等の個人情報を上記個人認証端末へ設定するようにしたことを特徴とする請求項１に記載の出入管理装置。
【発明の詳細な説明】
【技術分野】
【０００１】
この発明は、個人識別情報を取得して個人を特定し、室の扉を開閉して個人の出入を管理する出入管理装置に関するものである。
【背景技術】
【０００２】
近年、建物の扉にカードやバイオメトリックス等の読取装置および電気錠を備え、カード番号や、バイオメトリックス情報から得られる個人識別情報により個人を特定して、通行してよいか判断し扉の電気錠を制御するような出入管理装置が普及してきている。特許文献１には参考となる技術が開示されている。
【０００３】
【特許文献１】特開２０００−１６３６１７号公報
【発明の開示】
【発明が解決しようとする課題】
【０００４】
入退室情報を中央監視装置で記憶し、さらに入退室に使用したカードに含まれるカード番号以外の情報や、顔画像等のバイオメトリックス情報自体も中央監視装置で記憶したい場合、個人認証端末から端末コントローラ経由でシリアル通信等を介してその情報を取得するしかなく、端末コントローラの通信による負荷が高くなるとか、情報の取得に時間がかかるという問題があった。また、出入管理装置の運用開始や運用変更に伴い、個人認証に必要な情報を各個人認証端末に対して設定する必要のある場合がある。設定する情報が少なければよいが、例えば個人の顔や指紋などのバイオメトリックスを用いて個人認証を行う場合、認証を行いたい全ての個人のバイオメトリックス情報を設定する必要がある。その場合、従来は中央監視装置から端末コントローラ経由でシリアル通信等を介して個人認証端末へ設定するしかないため、端末コントローラの通信による負荷が高くなるとか、設定完了までに時間がかかるという問題があった。
【０００５】
この発明は、上記のような問題点を解消するためになされたもので、個人認証端末からネットワークを介して入退室に使用したカードに含まれるカード番号以外の情報や、顔画像等のバイオメトリックス情報自体を、端末コントローラに負荷をかけずに、従来よりも速く取得し記憶することができるようにする。また、出入管理装置の運用開始や運用変更等に伴い、各個人認証端末に対して、個人認証に必要な情報を設定する場合、端末コントローラに負荷をかけずに、従来よりも速く設定することができるようにする。
【課題を解決するための手段】
【０００６】
この発明に係る出入管理装置は、カードやバイオメトリックス等の個人情報の読み取り機能を備えた個人認証端末と、シリアル通信等の低速通信を介して個人認証端末から個人識別情報を取得して個人を特定し、電気錠を制御することにより入退室を管理する端末コントローラーと、この端末コントローラーから入退室情報を取得し記憶する中央監視装置とを備え、上記中央監視装置と上記個人認証端末とをネットワークを介して接続したものである。
【発明の効果】
【０００７】
従って、この発明によれば、中央監視装置が、入退室時に使用したカードに含まれるカード番号以外の情報や、顔画像等のバイオメトリックス情報自体を、個人認証端末からネットワークを介して取得することができるため、端末コントローラに負荷をかけず、従来よりも速く情報を取得し記憶することができる。
【０００８】
また、出入管理装置の運用開始や運用変更等に伴い、各個人認証端末に対して、個人認証に必要となる情報を設定する場合、中央監視装置からネットワークを介して設定することができるため、端末コントローラに負荷をかけず、従来よりも速く設定することができる。
【発明を実施するための最良の形態】
【０００９】
本発明の実施の形態を説明する前に、本発明の元となる一般的な技術について説明する。図１に一般的な出入監視装置のシステム構成を示す。これは、カードやバイオメトリックス等を読み取り、個人認証を行う個人認証端末３−１〜３−ｎと、その認証結果により電気錠４−１〜４−ｎを制御する端末コントローラ２−１〜２−ｎと、その端末コントローラから入退室情報を取得し記憶する中央監視装置１とからなる。なお、個人認証端末３−１〜３−ｎと端末コントローラ２−１〜２−ｎはシリアル通信５−１〜５−ｎの低速通信で接続されている。一般に個人認証端末３−１〜３−ｎ、端末コントローラ２−１〜２−ｎはマイコンをベースにしたコントローラ、中央監視装置１はパソコンやワークステーションで実現される。個人認証端末３−１〜３−ｎ、端末コントローラ２−１〜２−ｎは連用形態により１台から複数台接続される。
【００１０】
個人が扉を通行する場合の出入管理装置全体を通した処理の流れを図２で説明する。図２において、Ｓ１で、個人認証端末３−１〜３−ｎが、カード番号またはバイオメトリックス情報等を読み取る。Ｓ２で、読み取ったカード番号またはバイオメトリックス情報から得られる個人識別情報を、シリアル通信５−１〜５−ｎを用いて端末コントローラ２−１〜２−ｎへ送信する。個人識別情報とは、個人（個人ＩＤ番号）を特定するのに必要な情報である。端末コントローラ２−１〜２−ｎはＳ３で、カード番号または個人識別情報から個人（個人ＩＤ番号）を特定する。端末コントローラ２−１〜２−ｎには、個人（個人ＩＤ番号）毎に、通行可能な扉が設定されており、Ｓ４で、端末コントローラ２−１〜２−ｎがその個人を通行させてよいか判断する。通行可能ならＳ５で、電気錠４−１〜４−ｎを解錠して通行できるようにすると共に、入退室情報を中央監視装置１へ送信し、中央監視装置１においてＳ６で、入退室情報を記憶する。Ｓ７で、扉が開き、その後閉じられたかを確認し電気錠４−１〜４−ｎを施錠する。所定時間経過しても扉が開かれない場合にも施錠する。以上のように扉の出入りが管理される。
【００１１】
また、出入管理装置の運用開始や運用変更等に伴い、個人認証に必要な情報を各個人認証端末に対して設定する必要のある場合がある。個人認証に必要な情報とは、たとえば、認証を行いたい各個人の顔や指紋等のバイオメトリックス情報である。一般に個人認証に必要な情報は、中央監視装置１で登録され、その情報を端末コントローラ２−１〜２−ｎ経由で個人認証端末３−１〜３−ｎに設定される。
【００１２】
実施の形態１．
以上のことを前提として、図３により本発明に係る出入管理装置の実施の形態１を説明する。図３において図１と同一の要素には同一の符号を付しており、その動作は上述のとおりである。実施の形態１では、図１の構成に加えて、中央監視装置１と個人認証端末３−１〜３−ｎとがイーサーネット等のネットワーク６−１〜６−ｎを介して接続されている。
【００１３】
次に、入退室情報と共に、入退室に使用されたカードに含まれるカード番号以外の情報や、顔画像等のバイオメトリックス情報自体を中央監視装置１で記憶する場合の処理を、個人認証端末３−１〜３−ｎ、端末コントローラ２−１〜２−ｎ、中央監視装置１毎にフローチャートを用いて説明する。
【００１４】
まず、個人認証端末３−１〜３−ｎの処理を図４で説明する。図４において、Ｓ４１で、個人認証端末３−１〜３−ｎが、カード情報またはバイオメトリックス情報等を読み取る。Ｓ４２で、読み取ったカード情報に含まれるカード番号またはバイオメトリックス情報から得られる個人識別情報を、シリアル通信５−１〜５−ｎ等を用いて端末コントローラ２−１〜２−ｎへ送信すると共に、カードに含まれるカード番号以外の情報や、顔画像等のバイオメトリックス情報自体をネットワーク６−１〜６−ｎを介して中央監視装置１へ送信するか、内部で保存する。
【００１５】
次に、図５で端末コントローラ２−１〜２−ｎの処理を説明する。図５において、Ｓ５１で、個人認証端末３−１〜３−ｎから取得したカード番号または個人識別情報から個人（個人ＩＤ番号）を決定する。端末コントローラ２−１〜２−ｎには、個人（個人ＩＤ番号）毎に、通行可能な扉が設定されており、Ｓ５２で、端末コントローラ２−１〜２−ｎがその個人を通行させてよいか判断する。通行可能ならＳ５３で、電気錠４−１〜４−ｎを解錠し、通行できるようにすると共に、入退室情報を中央監視装置１へ送信する。Ｓ５４で、扉が開き、その後閉じられたかを確認し、電気錠４−１〜４−ｎを施錠する。所定時間経過しても扉が開かれない場合にも施錠する。
【００１６】
次に、図６で中央監視装置１の処理を説明する。図６において、Ｓ６１で、端末コントローラ２−１〜２−ｎから入退室情報を取得して記憶し、Ｓ６２で、個人認証端末３−１〜３−ｎからカードに含まれるカード番号以外の情報や、顔画像等のバイオメトリックス情報を、ネットワーク６−１〜６−ｎを介して取得し記憶する。
【００１７】
以上により、中央監視装置１で入退室情報と共に、入退室に使用されたカードに含まれるカード番号以外の情報や、顔画像等のバイオメトリックス情報自体も、端末コントローラ２−１〜２−ｎに負荷をかけずに、従来よりも速く取得し記憶することができる。また、出入管理装置の運用開始や運用変更等に伴い、各個人認証端末３−１〜３−ｎに対して、個人認証に必要となる情報を設定する場合、中央監視装置１からネットワーク６−１〜６−ｎを介して設定することにより、端末コントローラ２−１〜２−ｎに負荷をかけずに、従来よりも速く設定することができる。
【産業上の利用可能性】
【００１８】
この発明に係る出入管理装置は、建物内の各区画の通行管理に利用できるものである。
【図面の簡単な説明】
【００１９】
【図１】一般的な出入管理装置の構成を示すブロック図である。
【図２】図１の出入管理装置の動作を説明するフローチャートである。
【図３】この発明の実施の形態１に係る出入管理装置の構成を示すブロック図である。
【図４】図３の個人認証端末の動作を説明するフローチャートである。
【図５】図３の端末コントローラの動作を説明するフローチャートである。
【図６】図３の中央監視装置の動作を説明するフローチャートである。
【符号の説明】
【００２０】
１  中央監視装置、
２−１〜２−ｎ  端末コントローラ、
３−１〜３−ｎ  個人認証端末、
４−１〜４−ｎ  電気錠、
５−１〜５−ｎ  シリアル通信、
６−１〜６−ｎ  ネットワーク。
【図１】
2005090121.tif 000003
【図２】
2005090121.tif 000004
【図３】
2005090121.tif 000005
【図４】
2005090121.tif 000006
【図５】
2005090121.tif 000007
【図６】
2005090121.tif 000008